(57)【特許請求の範囲】
【請求項１】
シャフトにグリップを固定するためのグリップテープにおいて、
粘着剤組成物がネットによって補強されたグリップテープであって、
該ネットは、シャフト長手方向に延在する経糸と、シャフト周方向に延在する緯糸とを編組したネットであることを特徴とするグリップテープ。
【請求項２】
請求項１において、前記緯糸のピッチが前記経糸のピッチよりも大きいことを特徴とするグリップテープ。
【請求項３】
請求項２において、経糸のピッチが２〜８ｍｍであり、緯糸のピッチが経糸のピッチの１．１〜５倍であることを特徴とするグリップテープ。
【請求項４】
請求項１ないし３のいずれか１項に記載のグリップテープによってグリップをシャフトに固定してなるスポーツ用具。
【発明の詳細な説明】
【技術分野】
【０００１】
本発明は、グリップ付きシャフトを有するゴルフクラブ等のスポーツ用具と、グリップをシャフトに固定するためのグリップテープとに関するものである。
【背景技術】
【０００２】
ゴルフクラブのシャフトにグリップを取り付ける場合、次の手順により行われる。
（１）  シャフトの外面に両面テープを貼り付け、この両面テープの離型紙を剥がす。
（２）  上記両面テープの表面を溶剤で濡らす。この溶剤処理により、両面テープの粘着性を一時的に低下させる。なお溶剤としては、ホワイトガソリン等が用いられる。
（３）  グリップのシャフト挿入孔にシャフトを挿入する。両面テープの表面を滑らせつつ内側グリップ内にシャフトを挿入する。
【０００３】
上記工程（３）の後、溶剤は自然に蒸発する。この蒸発により、両面テープの粘着性が復活し、グリップとシャフトとが両面テープで接着される（特許文献１，２）。この両面テープとしては、不織布に粘着剤組成物を含浸させたものが用いられる。
【先行技術文献】
【特許文献】
【０００４】
【特許文献１】特開２００９−６６２７２
【特許文献２】特開２０００−１７６０６１
【発明の概要】
【発明が解決しようとする課題】
【０００５】
ゴルフクラブのグリップ部分を踏み付けてしまったり、自動車のトランクやドアで挟んでしまったりすることにより、ゴルフクラブがグリップ部分で折れることがある。このようにゴルフクラブがグリップ部分で折れたときに、折れた部位で分断（２体に分離）してしまうと、その後の取り扱い（運搬、廃棄など）に手間がかかるようになる。
【０００６】
本発明は、グリップ部分で折れても分断することが防止され、その後の取り扱いが容易となるスポーツ用具と、そのためのグリップテープとを提供することを目的とする。
【課題を解決するための手段】
【０００７】
本発明のグリップテープは、シャフトにグリップを固定するためのグリップテープにおいて、粘着剤組成物がネットによって補強されたグリップテープであって、該ネットは、シャフト長手方向に延在する経糸と、シャフト周方向に延在する緯糸とを編組したネットであることを特徴とするものである。
【０００８】
本発明では、緯糸のピッチが経糸のピッチよりも大きいことが好ましく、特に、経糸のピッチが２〜８ｍｍであり、緯糸のピッチが経糸のピッチの１．１〜５倍であることが好ましい。
【０００９】
本発明のスポーツ用具は、このグリップテープによってグリップをシャフトに固定したものである。
【発明の効果】
【００１０】
本発明のグリップテープは、シャフト長手方向に延在する経糸と、シャフト周方向に延在する緯糸とを編み組みしたネットによって補強されているので、このグリップテープによってグリップを固定したシャフトのグリップ部に折損が生じてもシャフトは折損箇所で分離せず、グリップテープによって繋がったままとなる。そのため、その後のスポーツ用具の取り扱いが容易となる。
【００１１】
また、このグリップテープを補強するネットが経糸を有しているので、グリップ交換の際にグリップテープを剥す場合、グリップテープが切れずに容易に且つ綺麗に剥すことができる。なお、緯糸のピッチを大きくして緯糸の本数を少なくすることにより、グリップテープをシャフトに貼り付けるときに、グリップテープをシャフトに沿って湾曲させ易くなる。また、緯糸の本数を少なくすることにより、グリップテープの厚みを小さくすることができる。
【図面の簡単な説明】
【００１２】
【図１】実施の形態に係るゴルフクラブのシャフト部分の側面図である。
【図２】図１のII−II線断面図である。
【図３】ネットの拡大平面図である。
【図４】グリップテープの拡大断面図である。
【発明を実施するための形態】
【００１３】
以下、本発明についてさらに詳細に説明する。
【００１４】
本発明のグリップテープは、スポーツ用具にグリップを固定するための両面テープである。スポーツ用具としては、ゴルフクラブ、テニスラケット、バドミントンラケットなどが挙げられるが、ゴルフクラブが好適である。図１はゴルフクラブのグリップ部分の側面図であり、シャフト２に対しラバーを主材とするグリップ１がグリップテープ３（図４）によって固定されている。
【００１５】
このグリップテープ３は、図３の通り、経糸６と緯糸７とを編み組みしたネット４によって粘着剤組成物５が補強されたものである。経糸６及び緯糸７を構成する糸は、平均糸径が５０〜３００μｍ特に１００〜２００μｍ程度であることが好ましい。経糸６及び緯糸７を構成する繊維としては、ガラス繊維のほか、アラミド繊維、ポリエステル繊維、ポリプロピレン繊維などの合成樹脂繊維が好適であるが、これに限定されない。
【００１６】
グリップテープ３は、経糸６がシャフト２の長手方向に延在し、緯糸７がシャフト２の径方向に延在するようにシャフト２に貼着される。経糸６同士のピッチａは２〜８ｍｍ特に３〜７ｍｍ程度が好適である。緯糸７のピッチｂは、経糸６のピッチａの１．０５〜５倍特に１．１〜３倍程度が好ましい。具体的には、経糸のピッチは約４ｍｍ、緯糸のピッチは約５ｍｍとされる。このように経糸６の本数を多くすることにより、補強効果が大きくなる。また、緯糸７の本数を少なくすることにより、グリップテープ３をシャフト２に貼り付けるときに、グリップテープ３をシャフト２に沿って湾曲させ易くなる。また、緯糸７の本数を少なくすることにより、グリップテープ３の厚みを小さくすることができる。
【００１７】
グリップテープ３の厚みは６００μｍ以下、例えば２００〜６００μｍ特に３００〜５００μｍ程度が好ましい。
【００１８】
ネット４によって補強される粘着剤組成物の粘着剤としては特に限定されず、例えば、スチレン−ブタジエンゴム、イソブチレンゴム、イソプレンゴム、ブチルゴム等の合成ゴムや天然ゴムを主成分とするゴム系粘着剤；アクリル樹脂、ポリビニルアルコール、ポリアクリルアミド、ポリビニルメチルエーテル、スチレン−イソプレンブロック共重合体、スチレン−ブタジエンブロック共重合体、スチレン−エチレン−ブチレンブロック共重合体、エチレン−酢酸ビニル等を主成分とする合成樹脂系粘着剤等が挙げられる。これらは、溶剤型、エマルション型、ホットメルト型、水溶性型等のいずれでもよく、また、単独で用いてもよく、２種以上を併用してもよい。これらの中でも、アクリル系の粘着剤が好ましい。
【００１９】
上記粘着剤層はまた、必要に応じて、粘着付与剤、可塑剤を含有してもよい。これらはそれぞれ単独で用いてもよく、２種以上を併用してもよい。上記粘着付与剤及び上記可塑剤としては、通常、粘着剤に用いることができるものであれば特に限定されず、例えば、粘着付与剤としては、ロジン、テルペン系樹脂等の天然樹脂；クマロンインデン樹脂等の石油炭化水素系樹脂；フェノール系樹脂；キシレン系樹脂等が挙げられ、可塑剤としては、プロセスオイル等の石油系可塑剤；液状ポリイソブチレン、液状ポリブテン等の液状ゴム系可塑剤；二塩基酸エステル等の樹脂系可塑剤等が挙げられる。
【００２０】
上記粘着付与剤及び上記可塑剤それぞれの粘着剤における使用量としては特に限定されず、例えば、粘着剤における樹脂１００重量部に対して、１５０重量部以下であることが好ましい。より好ましくは、１００重量部以下であり、更に好ましくは、８０重量部以下である。
【００２１】
粘着剤組成物はさらに、補強のために不織布を含有してもよい。不織布を構成する繊維としては上記の経糸及び緯糸の繊維と同様のものが好ましい。不織布の使用量は、粘着剤の樹脂１００重量部に対し１００重量部以下例えば５〜１００重量部特に１０〜６５重量部程度が好ましい。粘着剤組成物は充填剤を含有してもよい。
【００２２】
上記充填剤としては特に限定されず、例えば、水酸化アルミニウム、炭酸カルシウム、硫酸カルシウム、硫酸バリウム、アルミナ、クレー、タルク、ガラスパウダー、ミルドファイバー、クリストバライト、シリカ（珪砂）、ガラス粉末等の無機充填剤；有機充填剤等が挙げられる。これらは単独で用いてもよく、２種以上を併用してもよい。
【００２３】
このように構成されたグリップテープ３は、経糸６と緯糸７とを編み組みしたネット４によって補強されているので、このグリップテープ３によってグリップ２を固定したシャフト２のグリップ部に折損が生じてもシャフト２は折損箇所で分離せず、グリップテープによって繋がったままとなる。そのため、その後のゴルフクラブの取り扱いが容易となる。
【００２４】
また、このグリップテープ３が経糸６を有しているので、グリップ交換の際にグリップテープ３を剥す場合、グリップテープが切れずに容易に且つ綺麗に剥すことができる。
【符号の説明】
【００２５】
１  グリップ
２  シャフト
３  グリップテープ
４  ネット
５  粘着剤組成物
６  経糸
７  緯糸
【図１】
0005923940.tif 000002
【図２】
0005923940.tif 000003
【図３】
0005923940.tif 000004
【図４】
0005923940.tif 000005